(57)【要約】      （修正有）【課題】大きな保管場所を取ることなく不使用時のステッキの収納ができるとともにステッキのシャフトを脚ゴムに挿入して脚ゴムを装着する際に脚ゴムが倒れたりせず且つ脚ゴムの取り外しを簡単に行うことができるようにした脚ゴム脱着機能付きステッキスタンドを提供する。【解決手段】ステッキを立て掛けるために支柱１２の上端にステッキ係止部１１が設けられているステッキ保持部１と、ステッキ保持部の支柱を固定するとともにステッキ収納時にステッキの下端が当接するステッキ下端収納部２４を有する台部２とから構成され、台部には、脚ゴム取り外し用に脚ゴムＲを係止するための脚ゴム係止部２１と脚ゴムを取り外す際に足で踏みつけて台部を固定するための足踏み部２２と脚ゴム取り付け用に脚ゴムをセットするための脚ゴムセット用凹部２３とが設けられている。【選択図】図１
0003193013.tif 000002
【実用新案登録請求の範囲】
【請求項１】
ステッキを立て掛けるために支柱の上端にステッキ係止部が設けられているステッキ保持部と、該ステッキ保持部の該支柱を固定するとともにステッキ収納時にステッキの下端が当接するステッキ下端収納部を有する台部とから構成され、
前記台部には、脚ゴム取り外し用に脚ゴムを係止するための脚ゴム係止部と脚ゴムを取り外す際に足で踏みつけることによって前記台部を固定するための足踏み部と脚ゴム取り付け用に脚ゴムをセットするための脚ゴムセット用凹部とが設けられていることを特徴とする脚ゴム脱着機能付きステッキスタンド。
【請求項２】
前記脚ゴム係止部は、前記台部の上側の一部がＵ字状またはＶ字状に切り欠かれてステッキのシャフトが進入可能に形成された切欠部と、該切欠部の下側に形成された脚ゴムが出入り可能な空間部とから構成されていることを特徴とする請求項１に記載の脚ゴム脱着機能付きステッキスタンド。
【請求項３】
前記脚ゴム係止部は、前記台部の前記ステッキ下端収納部が設けられた面よりも高い位置に前記切欠部の開口部が前記ステッキ下端収納部を挟んで前記ステッキ保持部の前記支柱側に向き、前記空間部へ前記切欠部の開口部側からステッキの脚ゴムが出入り可能に設けられていることを特徴とする請求項２に記載の脚ゴム脱着機能付きステッキスタンド。
【請求項４】
前記足踏み部は、前記台部の側面より外側に向けて飛び出していることを特徴とする請求項３に記載の脚ゴム脱着機能付きステッキスタンド。
【請求項５】
前記空間部の底面は脚ゴムが台部の空間部より外側に転げ出るように斜面が形成されていることを特徴とする請求項１〜４のいずれかに記載の脚ゴム脱着機能付きステッキスタンド。
【請求項６】
前記脚ゴムセット用凹部は、前記台部の上面に脚ゴムの接地面となる脚ゴム底部の幅広部が収まる大きさの直径と深さを有していることを特徴とする請求項１〜５のいずれかに記載の脚ゴム脱着機能付きステッキスタンド。
【考案の詳細な説明】
【技術分野】
【０００１】
本考案は、高齢者や身体的な障害を持つ者が歩行の補助として用いるステッキの脚ゴム取り外し機能と脚ゴム装着機能を備えたステッキスタンドに関する。
【背景技術】
【０００２】
従来、高齢者や身体的な障害を持つ者は歩行の補助としてステッキを使用している。そして、ステッキは自宅などで使用しないときには、傘立てを利用して傘と一緒に立てておくか、あるいは保管や取り出しの便宜のためにステッキ専用のスタンドを利用して立て掛けておくようにしている。また、一般的にはステッキの石突には衝撃を和らげるとともに滑り防止のために脚ゴムが装着されており、使用により摩耗した場合に交換できるようになっている。
【０００３】
ステッキ用に開発された専用のスタンドとしては、例えば特許文献１として示す特開２００２−２３８７２５号公報や特許文献２として示す特開２０１０−２４６６９７号公報に記載されたステッキスタンドが提案されている。
【０００４】
特許文献１に示されるものは環状の基盤と環状の支持部とこれらを連結している支柱とから構成されている。また、特許文献２に示されるものは台座に支柱を垂直に立て付け、支柱の先端にゴム製のヘッドを設けるとともに、台座にステッキの石突部分が収まる穴が設けられている。このように特許文献１，２に示されるものはいずれも、ステッキの石突部分の動きを規制する基盤や台座と、ステッキのシャフトの上部を支える支持部やヘッドと、これらを連結する支柱とから構成されている。
【０００５】
また、特許文献３として示す意匠登録第１３７２５９４号公報には、いわゆる脚ゴムの取り外しを目的として、中央部に脚ゴム用の引っ掛け溝が形成されその左右に足で踏みつけるための踏み板部が形成された脚ゴム取り外し用具が記載されている。ステッキから脚ゴムを抜くために脚ゴムを普通に引っ張ると、引っ張ることにより脚ゴムの径が収縮して脚ゴムの内周がステッキに強く引っ付くような状態となるため引き抜くことが困難となる。そこで特許文献３は、ステッキから脚ゴムを簡単に引き抜くことができるようにすることを目的として開発されたものである。
【先行技術文献】
【特許文献】
【０００６】
【特許文献１】特開２００２−２３８７２５号公報
【特許文献２】特開２０１０−２４６６９７号公報
【特許文献３】意匠登録第１３７２５９４号公報
【考案の概要】
【考案が解決しようとする課題】
【０００７】
特許文献１や特許文献２に示されるものはステッキ不使用時にステッキを収納するためのステッキスタンドとしては有用なものである。また、特許文献３に示されるものはステッキのシャフトから脚ゴムを外す道具としては有用なものである。
【０００８】
ステッキを不使用時に収納しておくためのステッキスタンドは、一般家庭でも備えておけば有用なものである。また、脚ゴム取り外し道具もあれば便利なものである。しかし、ステッキスタンドに加えて脚ゴム取り外し専用の道具を玄関などに置くとこれらに玄関スペースを占用されてしまうこととなる。
【０００９】
また、特許文献３に示されるものは脚ゴムの取り外しには有用であるが、新しい脚ゴムをステッキに装着することまでは考慮されていない。単純に脚ゴムを床面に置いて上からステッキのシャフトを脚ゴムに挿入しようとすると、脚ゴムの向きとシャフトの向きが完全に一致していないと脚ゴムが倒れたりしてシャフトを脚ゴムにスムーズに挿入できない。
【００１０】
本考案は、このような問題点を解決するためになされたものであり、その目的とするところは、大きな保管場所を取ることなく不使用時のステッキの収納ができるとともにステッキのシャフトを脚ゴムに挿入して脚ゴムを装着する際に脚ゴムが倒れたりせず且つ脚ゴムの取り外しを簡単に行うことができるようにした脚ゴム脱着機能付きステッキスタンドを提供することである。
【課題を解決するための手段】
【００１１】
上記の目的を達成するために、本考案の脚ゴム脱着機能付きステッキスタンドは、ステッキを立て掛けるために支柱の上端にステッキ係止部が設けられているステッキ保持部と、該ステッキ保持部の該支柱を固定するとともにステッキ収納時にステッキの下端が当接するステッキ下端収納部を有する台部とから構成され、
前記台部には、脚ゴム取り外し用に脚ゴムを係止するための脚ゴム係止部と脚ゴムを取り外す際に足で踏みつけることによって前記台部を固定するための足踏み部と脚ゴム取り付け用に脚ゴムをセットするための脚ゴムセット用凹部とが設けられていることを特徴としている。
【００１２】
また、本考案においては、前記脚ゴム係止部は、前記台部の上側の一部がＵ字状またはＶ字状に切り欠かれてステッキのシャフトが進入可能に形成された切欠部と、該切欠部の下側に形成された脚ゴムが出入り可能な空間部とから構成されていることが好ましい。
【００１３】
また、本考案においては、前記脚ゴム係止部は、前記台部の前記ステッキ下端収納部が設けられた面よりも高い位置に前記切欠部の開口部が前記ステッキ下端収納部を挟んで前記ステッキ保持部の前記支柱側に向き、前記空間部へ前記切欠部の開口部側からステッキの脚ゴムが出入り可能に設けられていることが好ましい。
【００１４】
また、本考案においては、前記足踏み部は、前記台部の側面より外側に向けて飛び出していることが好ましい。
【００１５】
また、本考案においては、前記空間部の底面は脚ゴムが台部の空間部より外側に転げ出るように斜面が形成されていることが好ましい。
【００１６】
また、本考案においては、前記脚ゴムセット用凹部は、前記台部の上面に脚ゴムの接地面となる脚ゴム底部の幅広部が収まる大きさの直径と深さを有していることが好ましい。
【考案の効果】
【００１７】
本考案によれば、一つの道具にステッキの収納機能及び脚ゴムが倒れずにシャフトを挿入できるようにした装着機能と脚ゴムの取り外し機能を持たせたことにより、大きな保管場所を取ることなく不使用時のステッキの収納ができるとともにステッキのシャフトを脚ゴムに挿入して脚ゴムを装着する際に脚ゴムが倒れたりせず且つ脚ゴムの取り外しを簡単に行うことができる脚ゴム脱着機能付きステッキスタンドを得ることができる。
【図面の簡単な説明】
【００１８】
【図１】本考案に係る脚ゴム脱着機能付きステッキスタンドの一例を示す斜視図である。
【図２】図１のＡ−Ａ線断面図である。
【図３】図１のＢ−Ｂ線断面図である。
【図４】本考案に係る脚ゴム脱着機能付きステッキスタンドの他例を示す支柱部分より上を省略した斜視図である。
【図５】図４に示す脚ゴム脱着機能付きステッキスタンドにステッキを立て掛けた状態を示す側面図である。
【図６】図４に示す脚ゴム脱着機能付きステッキスタンドにステッキを立て掛けた状態を示す正面図である。
【実施例１】
【００１９】
次に、本考案の脚ゴム脱着機能付きステッキスタンドの一実施例を図１〜図３に基づいて説明する。
本考案の脚ゴム脱着機能付きステッキスタンドは図１に示すようにステッキを立て掛けるために支柱１２の上端にステッキ係止部１１が設けられているステッキ保持部１と、ステッキ保持部１の支柱１２を固定している台部２とから構成されている。ステッキ保持部１の支柱１２の上端には略馬蹄形に形成されたシャフト係止部１１が設けられている。シャフト係止部１１の略馬蹄形状の内側の大きさは、例えばステッキのシャフトが１本または２本収納できる大きさとする。２本収納できれば、ステッキスタンドの大型化が防げるとともに、例えば夫婦それぞれ１本ずつや、折り畳み式と一本物をそれぞれ１本ずつ収納できるので一般家庭での使用には十分である。また、シャフト係止部１１の内周にはシャフトの損傷を防ぐためにゴムなどのソフトな素材からなる衝撃緩和材１１１が設けられている。
【００２０】
台部２には、脚ゴム取り外し用に脚ゴムを係止するための脚ゴム係止部２１と、脚ゴムを取り外す際に足で踏みつけて台部２を固定するための足踏み部２２が脚ゴム係止部２１の両側に設けられている。また、台部２には脚ゴム取り付け用に脚ゴムをセットするための脚ゴムセット用凹部２３が台部２の上面に設けられている。
【００２１】
次に、脚ゴム係止部２１と脚ゴムセット用凹部２３のそれぞれについて、以下に詳述する。
まず、脚ゴム係止部２１は図１及び図２に示すように、台部１の上面部分の一部がＵ字状またはＶ字状に切り欠かれて切欠部２１１が形成されている。また、台部２の切欠部２１１の底面側には脚ゴムが出入り可能な空間部２１２が形成されている。切欠部２１１はＵ字状またはＶ字状に切り欠かれた開口部２１３からステッキのシャフトが進入でき、かつ脚ゴムが通過できないような大きさに形成されている。切欠部２１１をＵ字状やＶ字状に形成することにより各種シャフトの太さや脚ゴムの大きさに幅広く対応可能となる。
【００２２】
足踏み部２２は、脚ゴム係止部２１の両側に設けられ、靴のつま先部分または踵部分で踏みつけることが可能な程度の平坦面が形成されている。なお、足踏み部２２は図示したように必ずしも平坦面でなく傾斜面であってもよく、いずれにしても足踏み部２２を足で踏みつけることにより台部２の固定ができればよい。
【００２３】
脚ゴムセット用凹部２３は図１及び図３に示すように、台部２の上面に脚ゴムの接地面となる脚ゴム底部の幅広部が収まる直径と深さに形成されている。図示した例では脚ゴムセット用凹部２３は、ステッキ収納時にステッキの下端が当接するようにサークル状に凹部が形成されているステッキ下端収納部２４の中心部分をさらに一段深く掘り下げるようにして形成されている。また、台部２上面のステッキ下端収納部２４の両側には予備の脚ゴムを収納しておくための予備脚ゴム収納凹部２５が形成されている。なお、脚ゴムセット用凹部２３は必ずしも図１に示したようにステッキ下端収納部２４の中央部分に設ける必要はなく、例えば、脚ゴムセット用凹部２３を図１において予備脚ゴム収納凹部２５の位置に設けてこれらを兼用にしてもよい。
【００２４】
次に、本考案の脚ゴム脱着機能付きステッキスタンドで脚ゴムを交換する方法を図２と図３に基づいて説明する。
まず、脚ゴムＲをステッキのシャフトＳから取り外す方法を図２に基づいて説明する。ステッキのシャフトＳを脚ゴム係止部２１に切欠部２１１の開口部２１３から進入させ、脚ゴムＲが脚ゴム係止部２１の空間部２１２内に位置するようにする。
【００２５】
次に、脚ゴム係止部２１の左右両側の足踏み部２２を足のつま先または踵で踏みつけて台部２を固定しながら、脚ゴムＲの上面が脚ゴム係止部２１の下面と当接するようにステッキを持ち上げる。そして、さらにステッキを上方へ引っ張り上げるようにすると、脚ゴムＲの上面は脚ゴム係止部２１の下面と当接してそれ以上移動できないため、ステッキのシャフトＳのみがそのまま上へ引っ張り上げられ、脚ゴムＲは空間部２１２に脱落することとなる。ステッキを引っ張り上げると脚ゴムＲは脚ゴム係止部２１の下面と当接することにより押し潰されるように変形する。すると、脚ゴムＲは押し潰されることにより径が拡大するため、ステッキのシャフトＳは脚ゴムＲから容易に引き抜くことができることとなる。空間部２１２の底面が傾斜面となっている場合は、引き抜かれた脚ゴムＲは図１に示すように外に転げ出てくるので容易に回収できる。
【００２６】
一方、新しい脚ゴムＲをステッキのシャフトＳに装着する場合は、新しい脚ゴムＲを図３に示すように台部２の脚ゴムセット用凹部２３にセットする。そして、脚ゴムＲが取り外されているステッキのシャフトＳを脚ゴムＲの上方から垂直に降ろして差し込む。脚ゴムＲの底部の幅広部は脚ゴムセット用凹部２３でその位置が固定されているが、脚ゴムＲの底部の幅広部の上のシャフトＳが挿入される箇所は自由に変形できるため、シャフトＳを脚ゴムＲに容易に挿入できることとなる。脚ゴムＲの底部の幅広部は脚ゴムセット用凹部２３で固定されているため、シャフトＳが完全に垂直な向きで脚ゴムＲ差し込まれない時でも脚ゴムＲは簡単には倒れたりせず、シャフトＳを脚ゴムに挿入することができる。
【００２７】
また、ステッキスタンドとして使用する場合は、図１に示すようにステッキ保持部１のシャフト係止部１１にステッキのシャフトＳを立て掛けるとともに、シャフトＳ下端の脚ゴムＲがステッキ下端収納部２４内に収まるようにすればよい。シャフト係止部１１の内側には衝撃緩和材１１１が設けられているため、ステッキのシャフトＳが傷ついたりすることを防止できる。
【００２８】
本考案の脚ゴム脱着機能付きステッキスタンドは例えば次のような利用方法が可能となる。使用していない脚ゴムＲは予備脚ゴム収納凹部２５に収納しておくことが可能であり、また脚ゴムＲの取り外しと装着を簡単に行うことができる。そこで、１本のステッキで屋外と屋内を兼用する場合には、例えば脚ゴム係止部２１を利用して屋外用の脚ゴムＲを取り外し、取り外した屋外用の脚ゴムＲは予備脚ゴム収納凹部２５に収納する。一方、予備脚ゴム収納凹部２５に収納されている屋内用の脚ゴムＲを脚ゴムセット用凹部２３にセットし、屋外用の脚ゴムＲが取り外されたステッキのシャフトＳを脚ゴムセット用凹部２３にセットされている屋内用の脚ゴムＲに挿入して装着すれば、同一のステッキを簡単に屋外用から屋内用に切り替えることが可能となる。また、取り外した脚ゴムＲは予備脚ゴム収納凹部２５に収納しておけるため、次回の使用時に脚ゴムＲの在り処を探したりする手間もない。
【実施例２】
【００２９】
次に、本考案の脚ゴム脱着機能付きステッキスタンドの他例を図４〜図６に基づいて説明する。
本実施例は、実施例１と異なり脚ゴム係止部２１の切欠部２１１の開口部２１３がステッキ下端収納部２４を挟んで支柱１２側を向くようにしたものである。以下、主に実施例１と異なる構成について説明する。
【００３０】
脚ゴム係止部２１は、台部２のステッキ下端収納部２４が設けられた面よりも高い位置に切欠部２１１の開口部２１３がステッキ下端収納部２４を挟んでステッキ保持部１の支柱１２側に向くように設けられている。また、空間部２１２へ切欠部２１１の開口部２１３側からステッキの脚ゴムＲが出入り可能となっている。
【００３１】
空間部２１２の底面は取り外された脚ゴムＲが台部２の空間部２１２より外側に転げ出るように斜面２６が形成されている。脚ゴム係止部２１の切欠部２１１は台部２のステッキ下端収納部２４が設けられた面よりも高い位置に設けられているため、脚ゴムＲは空間部２１２へは切欠部２１１の開口部２１３側から進入可能となっている。そして、取り外された脚ゴムＲは斜面２６を転げ落ちるようにして、台部２の外側へ排出されることとなる。
【００３２】
また、足踏み部２２は台部２の側面より外側に向けて飛び出すように設けられている。飛び出している長さは適宜選択可能であるが、あまり短いと脚で踏みつけるのが困難であり、また長過ぎると邪魔になるので、基本的には人の足の幅前後の長さとすればよい。
【００３３】
本実施例において脚ゴムＲを外す場合は、支柱１２と対向する向きで左右の足で足踏み部２２を踏みつけ、脚ゴムＲが空間部２１２内に侵入するようにステッキのシャフトＳをステッキ下端収納部２４側から脚ゴム係止部２１の切欠部２１１に挿入する。そして、ステッキを垂直に上方に持ち上げるようにすると切欠部２１１で脚ゴムＲは外され、外れた脚ゴムＲは斜面２６を転げて台部２の外側へ出てくることになる。
【００３４】
本実施例は、足踏み部２２が台部２の側面より飛び出しているため、足のつま先や踵に限らず好みの位置で踏みつけることができる。また、支柱２に対面する向きで踏みつけて支柱１２側からステッキを脚ゴム係止部２１に挿入するようにしたため、脚ゴムＲを抜く際に支柱１２に邪魔されずステッキを垂直に上方に持ち上げやすくなる。
【符号の説明】
【００３５】
１      ステッキ保持部
１１    シャフト係止部
１２    支柱
１１１  衝撃緩和材
２      台部
２１    脚ゴム係止部
２１１  切欠部
２１２  空間部
２１３  開口部
２２    足踏み部
２３    脚ゴムセット用凹部
２４    ステッキ下端収納部
２５    予備脚ゴム収納凹部
２６    斜面
【図１】
0003193013.tif 000003
【図２】
0003193013.tif 000004
【図３】
0003193013.tif 000005
【図４】
0003193013.tif 000006
【図５】
0003193013.tif 000007
【図６】
0003193013.tif 000008